(57)【特許請求の範囲】
【請求項１】
粉粒体を落下供給する幅広の供給部をケース上側からケース下側に向けて組み込んで搬送ラインに沿って横設した長尺状のコンベヤケースと、該コンベヤケース内を垂直回りで循環走行するチェーン本体に複数の粉粒体掻き寄せアタッチメントを取り付けたコンベヤチェーンとを備え、該コンベヤチェーンの下部走行部分が前記コンベヤケース内のケース下側で粉粒体を掻き寄せ搬送するとともに前記コンベヤチェーンの上部走行部分が前記コンベヤケース内のケース上側を戻り走行するケース型粉粒体フローコンベヤにおいて、
前記粉粒体の供給部が、前記コンベヤケースのケース上側で、前記コンベヤケースにおいて前記下部走行部分が走行する部位の左右方向でのケース幅より幅広に対向配置した左右一対の供給口形成側壁と、該供給口形成側壁にそれぞれ連結して粉粒体をケース上側からケース下側へ誘導収集する左右一対の傾斜側壁と、該傾斜側壁にそれぞれ連結してコンベヤチェーンの下部走行部分の両側までそれぞれ近接配置した状態でコンベヤチェーンの下部走行部分に粉粒体を取り込ませる左右一対の取り込み口形成側壁とで少なくとも形成されているとともに、
前記下部走行部分の粉粒体掻き寄せアタッチメントが、前記左右一対の傾斜側壁に渡って生じる粉粒体の詰まりを掻き切るように、前記取り込み口形成側壁の高さ寸法が、前記コンベヤケース内のケース下側を掻き寄せ搬送させる粉粒体掻き寄せアタッチメントの高さ寸法より低く設定されていて、前記下部走行部分の粉粒体掻き寄せアタッチメントが、前記左右一対の取り込み口形成側壁の間から前記左右一対の傾斜側壁の間で上方に突出していることを特徴とするケース型粉粒体フローコンベヤ。
【請求項２】
前記粉粒体の流れをコンベヤケースの供給部から粉粒体搬出側へ横曲がりで飲み込み誘導する横曲がり誘導面が、前記供給部の一部を形成する粉粒体搬出側の前方壁と前記取り込み口形成側壁に連続する粉粒体搬出側の搬出路形成側壁とを一部切り欠いて形成されていることを特徴とする請求項１記載のケース型粉粒体フローコンベヤ。
【請求項３】
前記粉粒体の流れをコンベヤケースの供給部から粉粒体搬出側へ垂直曲がりで飲み込み誘導する垂直曲がり誘導面が、前記供給部の一部を形成する粉粒体搬出側の前方壁と前記供給部に連続する粉粒体搬出側の搬出路形成天井壁とを一部切り欠いて形成されていることを特徴とする請求項１または請求項２記載のケース型粉粒体フローコンベヤ。
【請求項４】
前記粉粒体掻き寄せアタッチメントが、前記チェーン本体の両側から中央に向けて抱持状に突出形成されていることを特徴とする請求項１乃至請求項３のいずれか１つに記載のケース型粉粒体フローコンベヤ。
【請求項５】
前記コンベヤチェーンの上部走行部分を覆うチェーンカバーと前記コンベヤチェーンの上部走行側部分を走行案内するガイドレールとが、前記コンベヤケースの供給部内に画成された落下供給域に架設されていることを特徴とする請求項１乃至請求項４のいずれか１つに記載のケース型粉粒体フローコンベヤ。
【請求項６】
前記チェーンカバーのカバー幅が、前記チェーン本体の組み付け幅より幅広で前記粉粒体掻き寄せアタッチメントの突出幅より幅狭に形成されていることを特徴とする請求項５に記載のケース型粉粒体フローコンベヤ。
【発明の詳細な説明】
【技術分野】
【０００１】
本発明は、セメント、化学物質、肥料、穀物、木屑などのバラ物と称する粉粒体を搬送するフローコンベヤに関するものであって、特に、搬送ラインに沿って横設されたコンベヤケース内で粉粒体を掻き寄せる複数の掻き寄せアタッチメントを取り付けたコンベヤチェーンを用いて粉粒体を掻き寄せ搬送するケース型粉粒体フローコンベヤに関するものである。
【背景技術】
【０００２】
従来、セメント、化学物質、肥料、穀物、木屑などのバラ物と称する粉粒体を搬送ラインに沿って横設されたコンベヤケース内で粉粒体を掻き寄せる複数の掻き寄せアタッチメントを取り付けたコンベヤチェーンを用いて粉粒体を掻き寄せ搬送するケース型粉粒体フローコンベヤが知られている。
【０００３】
このような従来のケース型粉粒体フローコンベヤとして、例えば、図８に示すように、コンベヤ前後方向に長い機筐の中間部に、上部を側方へ張出させて張出し漏斗５０１に形成した供給筒５０２を設け、この供給筒５０２の張出し漏斗５０１内にチェンカバー５０３を装設してその張出し漏斗５０１とチェンカバー５０３の側壁間に流下路５０４を、下縁間に供給口５０５をそれぞれ設けるとともに、搬送チェン５０６の上方片をチェンカバー５０３内に位置させ、供給口５０５を搬送チェン５０６の上方片と下方片の間において供給筒５０２の本体内に臨ませた横送りチエンコンベヤ５００が採用されている。
【先行技術文献】
【特許文献】
【０００４】
【特許文献１】特開昭６０−２２８３１１号公報（特許請求の範囲、図３）
【発明の概要】
【発明が解決しようとする課題】
【０００５】
前述したような従来の横送りチエンコンベヤ５００では、図８に示すように、張出し漏斗５０１とチェンカバー５０３の側壁間に形成される流下路５０４が狭くなっていることにより、供給筒５０２に供給される粉粒体Ｍが流下路５０４に徐々に滞留して詰まる、所謂、ブリッジＢを発生して粉粒体Ｍの搬送が滞るため、搬送能力を著しく低下させるという問題があった。
【０００６】
また、このようなブリッジ現象が流下路５０４に生じた場合には、このブリッジＢを人手により崩して粉粒体Ｍの詰まりによる搬送障害を解消するメンテナンス作業を要するため、搬送作業が中断し、充分な稼働効率を達成することができないという問題があった。
【０００７】
しかも、前述した供給筒５０２に供給した粉粒体Ｍを供給筒５０２を経て粉粒体搬出側の筒体（図示せず）に移行させる際に、機筐の粉粒体搬出側に設けた筒体に連通して開口する前方壁が粉粒体Ｍの搬送障害となり、粉粒体Ｍが前方壁の開口部分で滞留して詰まり、搬送能力を著しく低下させるという問題があった。
【０００８】
そこで、本発明は、従来の問題を解決するものであって、すなわち、本発明の目的は、コンベヤケースのケース上側からケース下側に向けて組み込んだ供給部内のコンベヤチェーンの下部走行部分に粉粒体を確実且つ円滑に落とし込んで取り込ませるとともに、供給部内における粉粒体の詰まりを自動的に解消して円滑に連続搬送するケース型粉粒体フローコンベヤを提供することである。
【課題を解決するための手段】
【０００９】
請求項１に係る本発明は、粉粒体を落下供給する幅広の供給部をケース上側からケース下側に向けて組み込んで搬送ラインに沿って横設した長尺状のコンベヤケースと、該コンベヤケース内を垂直回りで循環走行するチェーン本体に複数の粉粒体掻き寄せアタッチメントを取り付けたコンベヤチェーンとを備え、該コンベヤチェーンの下部走行部分が前記コンベヤケース内のケース下側で粉粒体を掻き寄せ搬送するとともに前記コンベヤチェーンの上部走行部分が前記コンベヤケース内のケース上側を戻り走行するケース型粉粒体フローコンベヤにおいて、前記粉粒体の供給部が、前記コンベヤケースのケース上側で、前記コンベヤケースにおいて前記下部走行部分が走行する部位の左右方向でのケース幅より幅広に対向配置した左右一対の供給口形成側壁と、該供給口形成側壁にそれぞれ連結して粉粒体をケース上側からケース下側へ誘導収集する左右一対の傾斜側壁と、該傾斜側壁にそれぞれ連結してコンベヤチェーンの下部走行部分の両側までそれぞれ近接配置した状態でコンベヤチェーンの下部走行部分に粉粒体を取り込ませる左右一対の取り込み口形成側壁とで少なくとも形成されているとともに、前記下部走行部分の粉粒体掻き寄せアタッチメントが、前記左右一対の傾斜側壁に渡って生じる粉粒体の詰まりを掻き切るように、前記取り込み口形成側壁の高さ寸法が、前記コンベヤケース内のケース下側を掻き寄せ搬送させる粉粒体掻き寄せアタッチメントの高さ寸法より低く設定されていて、前記下部走行部分の粉粒体掻き寄せアタッチメントが、前記左右一対の取り込み口形成側壁の間から前記左右一対の傾斜側壁の間で上方に突出していることにより、前述したような課題を解決したものである。
【００１０】
請求項２に係る本発明は、請求項１に係る発明の構成に加えて、前記粉粒体の流れをコンベヤケースの供給部から粉粒体搬出側へ横曲がりで飲み込み誘導する横曲がり誘導面が、前記供給部の一部を形成する粉粒体搬出側の前方壁と前記取り込み口形成側壁に連続する粉粒体搬出側の搬出路形成側壁とを一部切り欠いて形成されていることにより、前述したような課題をさらに解決したものである。
【００１１】
請求項３に係る本発明は、請求項１または請求項２に係る発明の構成に加えて、前記粉粒体の流れをコンベヤケースの供給部から粉粒体搬出側へ垂直曲がりで飲み込み誘導する垂直曲がり誘導面が、前記供給部の一部を形成する粉粒体搬出側の前方壁と前記供給部に連続する粉粒体搬出側の搬出路形成天井壁とを一部切り欠いて形成されていることにより、前述したような課題をさらに解決したものである。
【００１２】
請求項４に係る本発明は、請求項１乃至請求項３のいずれか１つに係る発明の構成に加えて、前記粉粒体掻き寄せアタッチメントが、前記チェーン本体の両側から中央に向けて抱持状に突出形成されていることにより、前述したような課題をさらに解決したものである。
【００１３】
請求項５に係る本発明は、請求項１乃至請求項４のいずれか１つに係る発明の構成に加えて、前記コンベヤチェーンの上部走行部分を覆うチェーンカバーと前記コンベヤチェーンの上部走行側部分を走行案内するガイドレールとが、前記コンベヤケースの供給部内に画成された落下供給域に架設されていることにより、前述したような課題をさらに解決したものである。
【００１４】
請求項６に係る本発明は、請求項５に係る発明の構成に加えて、前記チェーンカバーのカバー幅が、前記チェーン本体の組み付け幅より幅広で前記粉粒体掻き寄せアタッチメントの突出幅より幅狭に形成されていることにより、前述したような課題をさらに解決したものである。
【発明の効果】
【００１５】
そこで、本発明のケース型粉粒体フローコンベヤは、粉粒体を落下供給する幅広の供給部をケース上側からケース下側に向けて組み込んで搬送ラインに沿って横設した長尺のコンベヤケースとこのコンベヤケース内を垂直回りで循環走行するチェーン本体に複数の粉粒体掻き寄せアタッチメントを取り付けたコンベヤチェーンとを備え、コンベヤチェーンの下部走行部分がコンベヤケース内のケース下側で粉粒体を掻き寄せ搬送するとともにコンベヤチェーンの上部走行部分がコンベヤケース内のケース上側を戻り走行することにより、コンベヤケースの供給部から落下供給した粉粒体をケース外に拡散させることなく密集状態でコンベヤチェーンの粉粒体掻き寄せアタッチメントにより掻き寄せながら粉粒体搬出側へ搬送することができるばかりでなく、以下のような本発明に特有の効果を奏することができる。
【００１６】
すなわち、請求項１に係る本発明のケース型粉粒体フローコンベヤによれば、粉粒体の供給部が、コンベヤケースのケース上側で、コンベヤケースにおいて下部走行部分が走行する部位の左右方向でのケース幅より幅広に対向配置した左右一対の供給口形成側壁とこの供給口形成側壁にそれぞれ連結した左右一対の傾斜側壁とこの傾斜側壁にそれぞれ連結した左右一対の取り込み口形成側壁とで少なくとも形成されていることにより、粉粒体が供給部内のケース上側からケース下側に向けて組付けられた供給口形成側壁と傾斜側壁とを順次介して取り込み口形成側壁に至るまで粉粒体の落下自重によって誘導収集されるため、粉粒体をケース下側を走行するコンベヤチェーンの下部走行部分に円滑に落とし込んで取り込ませることができる。
【００１７】
そして、粉粒体を取り込む取り込み口形成側壁がコンベヤチェーンの下部走行部分の両側までそれぞれ近接配置した状態で形成されていることにより、粉粒体をコンベヤチェーンの下部走行部分に分散することなく集約的に収集させるため、供給部内のケース下側で粉粒体をコンベヤチェーンの下部走行部分に確実に落とし込んで取り込むことができる。
【００１８】
また、下部走行部分の粉粒体掻き寄せアタッチメントが、左右一対の傾斜側壁に渡って生じる粉粒体の詰まりを掻き切るように、取り込み口形成側壁の高さ寸法が粉粒体掻き寄せアタッチメントの高さ寸法より低く設定されていて、下部走行部分の粉粒体掻き寄せアタッチメントが、左右一対の取り込み口形成側壁の間から左右一対の傾斜側壁の間で上方に突出していることにより、コンベヤケース内のケース下側に「ブリッジ」と称する粉粒体の詰まりが生じても、粉粒体掻き寄せアタッチメントが取り込み口形成側壁より上方に突出して粉粒体のブリッジの底部を掻き切って寸断するため、ケース下側の粉粒体に生じるブリッジが自動的に崩されて粉粒体の詰まりがない連続した円滑な連続搬送を実現できるとともに粉粒体の詰まりを解消するためのメンテナンス作業を回避できる。
【００１９】
さらに、請求項２に係る本発明は、請求項１に係る発明が奏する効果に加えて、粉粒体の流れをコンベヤケースの供給部から粉粒体搬出側へ横曲がりで飲み込み誘導する横曲がり誘導面が供給部の一部を形成する粉粒体搬出側の前方壁と取り込み口形成側壁に連続する粉粒体搬出側の搬出路形成側壁とを一部切り欠いて形成されていることにより、コンベヤケースの供給部から粉粒体搬出側へ移行する粉粒体の流れが急激に狭められることなく緩やかに横曲がりするため、コンベヤケース内の粉粒体搬出側に向かう粉粒体の詰まりがない連続した円滑な連続搬送を実現できるとともに粉粒体搬出側手前部分における粉粒体の詰まりを解消するためのメンテナンス作業を回避できる。
【００２０】
請求項３に係る本発明は、請求項１または請求項２に係る発明が奏する効果に加えて、粉粒体の流れをコンベヤケースの供給部から粉粒体搬出側へ垂直曲がりで飲み込み誘導する垂直曲がり誘導面が供給部の一部を形成する粉粒体搬出側の前方壁と供給部に連続する粉粒体搬出側の搬出路形成天井壁とを一部切り欠いて形成されていることにより、コンベヤケースの供給部から粉粒体搬出側へ移行する粉粒体の流れが急激に狭められることなく緩やかに垂直曲がりするため、コンベヤケース内の粉粒体搬出側に向かう粉粒体の詰まりがない連続した円滑な連続搬送を実現できるとともに粉粒体搬出側手前部分における粉粒体の詰まりを解消するためのメンテナンス作業を回避できる。
【００２１】
請求項４に係る本発明は、請求項１乃至請求項３のいずれか１つに係る発明が奏する効果に加えて、粉粒体掻き寄せアタッチメントがチェーン本体の両側から中央に向けて抱持状に突出形成されていることにより、粉粒体掻き寄せアタッチメントが粉粒体のブリッジを抵抗なく垂直および水平に掻き切って寸断するため、落下供給域に生じる粉粒体のブリッジを瞬時に崩して粉粒体の詰まりを完全に解消できる。
【００２２】
請求項５に係る本発明は、請求項１乃至請求項４のいずれか１つに係る発明が奏する効果に加えて、コンベヤチェーンの上部走行部分を覆うチェーンカバーとコンベヤチェーンの上部走行側部分を走行案内するガイドレールとがコンベヤケースの供給部内に画成された落下供給域に架設されていることにより、この落下供給域へ供給された粉粒体が落下供給域のガイドレールに引っ掛かることなくスムースに擦り抜けて、あるいは、引っ掛かってもコンベヤチェーンの上部走行部分により振り落とされてコンベヤチェーンの下部走行部分へ容易に落下して搬送に供せられるため、供給部内の落下供給域へ供給された粉粒体がチェーン本体やガイドレールの上に滞留したり堆積したりすることを回避できる。
【００２３】
また、請求項６に係る本発明は、請求項５に係る発明が奏する効果に加えて、チェーンカバーのカバー幅がチェーン本体の組み付け幅より幅広に形成されていることにより、チェーンカバーがチェーン本体の上方域を確実に覆うため、供給部内の落下供給域へ供給した粉粒体がケース上側のチェーン本体上へ直に落下して滞留したり堆積したりすることを回避できるとともにチェーン本体内へ微細粉の侵入を防止してチェーン機能を長期に亙って確保できる。
そして、チェーンカバーのカバー幅が粉粒体掻き寄せアタッチメントの突出幅より幅狭に形成されていることにより、粉粒体掻き寄せアタッチメントがチェーンカバーから両側に突出した状態でコンベヤチェーンの上部走行部分を順次走行するため、コンベヤケースの落下供給域に「ブリッジ」と称する粉粒体の詰まりがケース上側のチェーンカバーを跨いで垂れ下がった状態で生じても、粉粒体掻き寄せアタッチメントが粉粒体からなるブリッジの垂れ下がり部分を増殖させることなく掻き切って寸断するため、落下供給域のケース上側に生じる粉粒体のブリッジを自動的かつ確実に崩して粉粒体の詰まりがない連続した更に一層の円滑な搬送を実現できる。
【図面の簡単な説明】
【００２４】
【図１】本発明の一実施例であるケース型粉粒体フローコンベヤの側面図。
【図２】図１のＸ１−Ｘ１線位置で矢印方向に見た断面図。
【図３】ケース型粉粒体フローコンベヤ１００の供給領域における平面図。
【図４】図１のＸ２−Ｘ２線位置で矢印方向に見た断面図。
【図５】本実施例で使用するコンベヤチェーンの斜視図。
【図６】ケース下側における横曲がり誘導面の配置形態を説明する図。
【図７】ケース下側における垂直曲がり誘導面の配置形態を説明する図。
【図８】従来の横送りチエンコンベヤの断面図。
【発明を実施するための形態】
【００２５】
本発明は、粉粒体を落下供給する幅広の供給部をケース上側からケース下側に向けて組み込んで搬送ラインに沿って横設した長尺状のコンベヤケースと、このコンベヤケース内を垂直回りで循環走行するチェーン本体に複数の粉粒体掻き寄せアタッチメントを取り付けたコンベヤチェーンとを備え、コンベヤチェーンの下部走行部分がコンベヤケース内のケース下側で粉粒体を掻き寄せ搬送するとともにコンベヤチェーンの上部走行部分がコンベヤケース内のケース上側を戻り走行するケース型粉粒体フローコンベヤにおいて、粉粒体の供給部がコンベヤケースのケース上側で、コンベヤケースにおいて下部走行部分が走行する部位の左右方向でのケース幅より幅広に対向配置した左右一対の供給部形成側壁とこの供給部形成側壁にそれぞれ連結して粉粒体をケース上側からケース下側へ誘導収集する左右一対の傾斜側壁とこの傾斜側壁にそれぞれ連結してコンベヤチェーンの下部走行部分の両側までそれぞれ近接配置した状態でコンベヤチェーンの下部走行部分に粉粒体を取り込ませる左右一対の取り込み口形成側壁とで少なくとも形成されているとともに、下部走行部分の粉粒体掻き寄せアタッチメントが、左右一対の傾斜側壁に渡って生じる粉粒体の詰まりを掻き切るように、取り込み口形成側壁の高さ寸法がコンベヤケース内のケース下側を掻き寄せ搬送させる粉粒体粉粒体掻き寄せアタッチメントの高さ寸法より低く設定されていて、下部走行部分の粉粒体掻き寄せアタッチメントが、左右一対の取り込み口形成側壁の間から左右一対の傾斜側壁の間で上方に突出していることにより、コンベヤケースに組み込んだ供給部内のケース上側からケース下側のコンベヤチェーンに粉粒体を確実且つ円滑に落とし込んで取り込ませるとともに、供給部内における粉粒体の詰まりを自動的に解消して円滑に連続搬送するものであれば、その具体的な態様は、如何なるものであっても構わない。
【００２６】
すなわち、本発明のケース型粉粒体フローコンベヤに用いるコンベヤチェーンの具体的なチェーン形態としては、チェーン本体に粉粒体掻き寄せアタッチメントを組み付けたものであれば良く、例えば、チェーン本体は、ローラチェーンあるいはブシュチェーンのいずれであっても差し支えなく、また、粉粒体掻き寄せアタッチメントは、チェーン本体の両側に左右対称、あるいは、千鳥状に交互に組み付けても差し支えない。
【００２７】
また、粉粒体掻き寄せアタッチメントの具体的形態については、コンベヤチェーンの下部走行部分においてコンベヤケースとの摺接抵抗を生じることなくコンベヤケース内の粉粒体を掻き寄せながら搬出側へ搬送するとともにコンベヤチェーンの上部走行部分において粉粒体のブリッジを抵抗なく掻き切って寸断するものであれば、いかなる形態であっても良く、例えば、チェーン本体の両側から左右に向けてＬ字状に突出形成されたリブ部材からなるものであれば、粉粒体のブリッジを抵抗なく垂直に掻き切って寸断し、落下供給域に生じる粉粒体のブリッジを崩すことが可能となり、また、チェーン本体の両側から中央に向けて抱持状に突出形成されたリブ部材からなるものであれば、粉粒体のブリッジを抵抗なく垂直および水平に掻き切って寸断し、落下供給域に生じる粉粒体のブリッジを瞬時に崩すことが可能である。
【００２８】
さらに、本発明のケース型粉粒体フローコンベヤに用いるチェーンカバーの具体的な形態については、チェーン本体の上方域を確実に覆うものであれば、いかなる形態であっても良く、例えば、合掌型に組付けられた左右の傾斜板で構成されている場合には、コンベヤケースの供給部から供給された粉粒体がチェーンカバー上に落下してもチェーンカバー上で滑落し易く、チェーンカバーが落下供給域のケース上側に設けられていても粉粒体の堆積や滞留を回避するとともに粉粒体からなるブリッジの増殖を抑制することが可能である。
【００２９】
すなわち、本発明のケース型粉粒体フローコンベヤに用いるチェーンカバーのカバー幅は、チェーン本体の組み付け幅より幅広に形成され、チェーン本体の上方域を確実に覆うようになっている。
【００３０】
そして、チェーンカバーのカバー幅は、粉粒体掻き寄せアタッチメントの突出幅より幅狭に形成され、粉粒体掻き寄せアタッチメントをチェーンカバーから両側に突出させた状態でコンベヤチェーンの上部走行部分を走行させるようになっているのが望ましい。
これにより、供給部内の落下供給域に「ブリッジ」と称する粉粒体の詰まりがチェーンカバーを跨いで垂れ下がった状態で生じても、粉粒体掻き寄せアタッチメントがケース上側に生じるブリッジの垂れ下がり部分を増殖させることなく掻き切って寸断するので、落下供給域のケース上側に生じる粉粒体のブリッジを自動的かつ確実に崩して粉粒体の詰まりがない連続した円滑な搬送を行う。
【００３１】
さらに、本発明のケース型粉粒体フローコンベヤに用いるコンベヤケースの具体的な形態については、粉粒体を落下供給する幅広の供給部をケース上側からケース下側に向けて組み込んで搬送ラインに沿って横設するとともに粉粒体を掻き寄せる複数の粉粒体掻き寄せアタッチメントを取り付けたコンベヤチェーンを垂直回りで循環走行させることが可能であれば如何なるケース形態であっても良い。
さらに、その供給部の具体的な形態については、コンベヤケースのケース上側でケース幅より幅広に対向配置した左右一対の供給部形成側壁とこの供給部形成側壁にそれぞれ連結して粉粒体をケース上側からケース下側へ誘導収集する左右一対の傾斜側壁とこの傾斜側壁にそれぞれ連結してコンベヤチェーンの下部走行部分の両側までそれぞれ近接配置した状態でコンベヤチェーンの下部走行部分に粉粒体を取り込ませる取り込み口形成側壁とこれらの供給部形成側壁と傾斜側壁とに連結して供給部の一部を囲繞する前方壁とで少なくとも形成されていれば、如何なる形態であっても良く、例えば、コンベヤケース内の落下供給域がコンベヤチェーンの上部走行部分から下部走行部分に向けて狭小化するように形成すると、コンベヤケースの供給部から落下供給域へ供給された粉粒体が落下供給域内のコンベヤチェーンの上部走行部分から下部走行部分へ集約的に落下することが可能である。
【実施例】
【００３２】
以下、本発明の一実施例であるケース型粉粒体フローコンベヤ１００を図１乃至図７に基づいて説明する。
ここで、図１は、本実施例であるケース型粉粒体フローコンベヤ１００の正面図であり、図２は、図１のＸ１−Ｘ１線位置で矢印方向に見た断面図であり、図３は、ケース型粉粒体フローコンベヤ１００の供給領域における平面図であり、図４は、図１のＸ２−Ｘ２線位置で矢印方向に見た断面図であり、図５は、本実施例のケース型粉粒体フローコンベヤで使用するコンベヤチェーンの斜視図であり、図６は、ケース下側における横曲がり誘導面の配置形態を説明する図であり、図７は、ケース下側における垂直曲がり誘導面の配置形態を説明する図である。
【００３３】
まず、本発明の一実施例であるケース型粉粒体フローコンベヤ１００は、図１に示すように、粉粒体Ｍを落下供給する供給部１１１をケース上側からケース下側に向けて組み込んで搬送ラインに沿って横設したコンベヤケース１１０と、このコンベヤケース１１０内の駆動スプロケット１２０と従動スプロケット１３０に巻き掛けられて垂直回りで循環走行するコンベヤチェーン１４０とを備えている。
これにより、コンベヤケース１１０の供給部内１１１に落下供給された粉粒体Ｍが、ケース外に拡散することなく密集状態で、コンベヤチェーン１４０により粉粒体搬出側へ搬送されるようになっている。
ここで、図１における符号１１２は、コンベヤケース１１０の粉粒体搬出側下方に配置されてコンベヤチェーン１４０により搬送された粉粒体Ｍをケース外に排出する排出口であり、符号１４０ａは、従動スプロケット１３０から駆動スプロケット１２０に向かって走行しながら粉粒体Ｍを搬送するコンベヤチェーン１４０の下部走行部分であり、符号１４０ｂは、駆動スプロケット１２０から従動スプロケット１３０に向かって走行するコンベヤチェーン１４０の上部走行部分である。
【００３４】
そして、図２乃至図３に示すように、コンベヤケース１１０の供給部１１１内に画成される落下供給域Ｓのケース上側には、コンベヤチェーン１４０の上部走行部分１４０ｂを覆うチェーンカバー１５０と、コンベヤチェーン１４０の上部走行部分１４０ｂを走行案内するガイドレール１６０を備えている。
【００３５】
また、本実施例における供給部１１１内の落下供給域Ｓは、図２に示すように、コンベヤチェーン１４０の上部走行部分１４０ｂから下部走行部分１４０ａに向けて狭小化しており、落下供給された粉粒体Ｍがコンベヤチェーン１４０の上部走行部分１４０ｂを通り抜けて下部走行部分１４０ａに向かって集約的に落下するように構成されている。
これにより、コンベヤチェーン１４０の下部走行部分１４０ａにおいて、粉粒体Ｍが効率的に掻き寄せられながら粉粒体搬出側へ搬送されるようになっている。
【００３６】
他方、図４に示すように、前述したケース型粉粒体フローコンベヤ１００の供給領域を除くケース前後領域には、コンベヤケース１１０内をそれぞれ上下に区画する上部仕切り板１１３と粉粒体搬出側の搬出路形成天井壁１１４とが配置され、コンベヤチェーン１４０の下部走行部分１４０ａと上部走行部分１４０ｂとを相互に隔離封止するように構成されている。
なお、図４に示す符号１１５は、コンベヤケース１１０の上部に配置されたケース天板であり、符号１１６は、コンベヤケース１１０の下部に配置されたケース底板であり、符号１１７は、コンベヤケース１１０の側部に配置されたケース側板である。
【００３７】
また、本実施例のケース型粉粒体フローコンベヤ１００に用いたコンベヤチェーン１４０は、図５に示すように、通常のローラチェーンで構成されてコンベヤケース１１０内を垂直回りで循環走行するチェーン本体１４１とこのチェーン本体１４１の両側にそれぞれ取り付けられて粉粒体Ｍを掻き寄せる粉粒体掻き寄せアタッチメント１４２とを備えている。
さらに、この粉粒体掻き寄せアタッチメント１４２は、チェーン本体１４１の両側から中央に向けて抱持状に突出して形成されたリブ部材から構成されている。
これにより、粉粒体掻き寄せアタッチメント１４２が、粉粒体ＭのブリッジＢを抵抗なく垂直および水平に掻き切って寸断するため、落下供給域Ｓのケース上側やケース下側に生じた粉粒体ＭからなるブリッジＢを瞬時に崩して粉粒体Ｍの詰まりを完全に解消している。
【００３８】
さらに、本実施例のケース型粉粒体フローコンベヤ１００におけるチェーンカバー１５０は、図２に示すように、供給部１１１内に画成された落下供給域Ｓのケース上側で左右の傾斜板を合掌型に組付けるとともにチェーンカバー１５０のカバー幅Ｗ１をチェーン本体１４１の組み付け幅Ｗ２より幅広に形成し、コンベヤチェーン１４０の上部走行部分１４０ｂを覆うように設けられている。
これにより、供給部１１１の上方から供給された粉粒体Ｍがケース上側のチェーンカバー１５０上に落下しても左右の傾斜板からなるチェーンカバー１５０上で滑落し易くなっているため、チェーンカバー１５０が落下供給域Ｓのケース上側に設けられていても、この落下供給域Ｓのケース上側において粉粒体Ｍの堆積や滞留を回避するとともに粉粒体ＭからなるブリッジＢの増殖を抑制している。
【００３９】
また、チェーンカバー１５０のカバー幅Ｗ１は、粉粒体掻き寄せアタッチメント１４２の突出幅Ｗ３より幅狭に形成され、粉粒体掻き寄せアタッチメント１４２をチェーンカバー１５０から両側に突出させた状態でコンベヤチェーン１４０の上部走行部分１４０ｂを走行させるようになっている。
これにより、供給部１１１内の落下供給域Ｓに「ブリッジＢ」と称する粉粒体Ｍの詰まりがケース上側のチェーンカバー１５０を跨いで垂れ下がった状態で生じても、粉粒体掻き寄せアタッチメント１４２がブリッジＢの垂れ下がり部分を増殖させることなく掻き切って寸断するので、落下供給域Ｓのケース上側に生じる粉粒体ＭのブリッジＢを自動的かつ確実に崩して粉粒体Ｍの詰まりがない連続した円滑な搬送を行うようになっている。
【００４０】
そして、本実施例のケース型粉粒体フローコンベヤ１００におけるガイドレール１６０は、図２に示すように、供給部１１１内の落下供給域Ｓのケース上側に架設されて、駆動スプロケット１２０から従動スプロケット１３０に向かって走行するコンベヤチェーン１４０の上部走行部分１４０ｂを支持して案内するように設けている。
これにより、供給部１１１内の落下供給域Ｓへ供給した粉粒体Ｍが落下供給域Ｓのガイドレール１６０に引っ掛かることなくスムースに擦り抜けて、あるいは、引っ掛かってもコンベヤチェーン１４０の上部走行部分１４０ｂによりケース下側へ振り落とされてコンベヤチェーン１４０の下部走行部分１４０ａへ容易に落下して搬送に供せられ、供給部１１１の上方から落下供給域Ｓへ供給された粉粒体Ｍがケース上側のチェーン本体１４１やガイドレール１６０の上に滞留したり堆積したりすることを回避している。
【００４１】
そこで、本実施例のケース型粉粒体フローコンベヤ１００が最も特徴とする供給部１１１の具体的な配置形態について、図６乃至図７に基づいて以下に詳しく説明する。
すなわち、上述した供給部１１１は、コンベヤケース１１０のケース上側で、コンベヤケース１１０において下部走行部分１４０ａが走行する部位の左右方向でのケース幅より幅広に対向配置した左右一対の供給口形成側壁１１１ａとこれらの供給口形成側壁１１１ａにそれぞれ連結した左右一対の傾斜側壁１１１ｂとこれらの傾斜側壁１１１ｂにそれぞれ連結した左右一対の取り込み口形成側壁１１１ｃとで少なくとも形成されている。
これにより、粉粒体Ｍが供給部１１１内のケース上側からケース下側に向けて組付けられた供給口形成側壁１１１ａと傾斜側壁１１１ｂとを順次介して取り込み口形成側壁１１１ｃに至るまで粉粒体Ｍの落下自重によって誘導収集されるため、粉粒体Ｍがケース下側を走行するコンベヤチェーン１４０の下部走行部分１４０ａに円滑に落とし込まれて取り込まれるようになっている。
【００４２】
そして、粉粒体Ｍを取り込む取り込み口形成側壁１１１ｃが、コンベヤチェーン１４０の下部走行部分１４０ａの両側までそれぞれ近接配置した状態で形成されている。
これにより、粉粒体Ｍがコンベヤチェーン１４０の下部走行部分１４０ａに分散することなく集約的に収集されるため、粉粒体Ｍがコンベヤチェーン１４０の下部走行部分１４０ａに確実に落とし込まれて取り込まれるようになっている。
【００４３】
また、下部走行部分１４０ａの粉粒体掻き寄せアタッチメント１４２が、左右一対の傾斜側壁１１１ｂに渡って生じる粉粒体の詰まりを掻き切るように、取り込み口形成側壁１１１ｃの高さ寸法Ｈ１が粉粒体掻き寄せアタッチメント１４２の高さ寸法Ｈ２より低く設定されていて、下部走行部分１４０ａの粉粒体掻き寄せアタッチメント１４２が、左右一対の取り込み口形成側壁１１１ｃの間から左右一対の傾斜側壁１１１ｂの間で上方に突出していることにより、コンベヤケース１１０内のケース下側に「ブリッジ」と称する粉粒体Ｍの詰まりが生じても、粉粒体掻き寄せアタッチメント１４２が取り込み口形成側壁１１１ｃより上方に突出して粉粒体Ｍのブリッジの底部を掻き切って寸断するようになっている。
このため、本実施例では、ケース下側の粉粒体Ｍに生じるブリッジが自動的に崩されて粉粒体Ｍの詰まりがない連続した円滑な連続搬送を実現するとともに粉粒体Ｍの詰まりを解消するためのメンテナンス作業を回避することが可能になっている。
【００４４】
さらに、粉粒体Ｍの流れをコンベヤケース１１０の供給部１１１から粉粒体搬出側へ横曲がりで飲み込み誘導する横曲がり誘導面１１１ｅが、供給部１１１の一部を形成する粉粒体搬出側の前方壁１１１ｄと取り込み口形成側壁１１１ｃに連続する粉粒体搬出側の搬出路形成側壁１１７ａとを一部切り欠いて形成されている。
この横曲がり誘導面１１１ｅにより、コンベヤケース１１０の供給部１１１から粉粒体搬出側へ移行する粉粒体Ｍの流れが急激に狭められることなく緩やかに横曲がりするため、コンベヤケース１１０内の粉粒体搬出側に向かう粉粒体Ｍの詰まりがない連続した円滑な連続搬送を実現するとともに粉粒体搬出側手前部分における粉粒体Ｍの詰まりを解消するためのメンテナンス作業を回避することが可能になっている。
【００４５】
また、粉粒体Ｍの流れをコンベヤケース１１０の供給部１１１から粉粒体搬出側へ垂直曲がりで飲み込み誘導する垂直曲がり誘導面１１１ｆが、供給部１１１の一部を形成する粉粒体搬出側の前方壁１１１ｄと供給部１１１に連続する粉粒体搬出側の搬出路形成天井壁１１４とを一部切り欠いて形成されている。
この垂直曲がり誘導面１１１ｆにより、コンベヤケース１１０の供給部１１１からコンベヤケース１１０の粉粒体搬出側へ移行する粉粒体Ｍの流れが急激に狭められることなく緩やかに垂直曲がりするため、コンベヤケース１１０内の粉粒体搬出側に向かう粉粒体Ｍの詰まりがない連続した円滑な連続搬送を実現するとともに粉粒体搬出側手前部分における粉粒体Ｍの詰まりを解消するためのメンテナンス作業を回避することが可能になっている。
【００４６】
本発明の一実施例であるケース型粉粒体フローコンベヤ１００は、以下のように作動する。
図２に示すように、供給部１１１内の落下供給域Ｓがコンベヤチェーン１４０の上部走行部分１４０ｂから下部走行部分１４０ａに向けて狭小化するように形成されているため、供給部１１１の落下供給域Ｓに供給された粉粒体Ｍが落下供給域Ｓのコンベヤチェーン１４０の上部走行部分１４０ｂから下部走行部分１４０ａへ集約的に落下して、チェーン本体１４１の両側にそれぞれ突出する粉粒体掻き寄せアタッチメント１４２により下部走行部分１４０ｂにおいてコンベヤケース１１０との摺接抵抗を生じることなくコンベヤケース１１０内の粉粒体Ｍを掻き寄せながら粉粒体搬出側へ搬送する。
【００４７】
このとき、チェーンカバー１５０のカバー幅Ｗ１が粉粒体掻き寄せアタッチメント１４２の突出幅Ｗ３より幅狭に形成されているため、供給部１１１内の落下供給域Ｓに「ブリッジＢ」と称する粉粒体Ｍの詰まりがケース上側のチェーンカバー１５０を跨いで垂れ下がった状態で生じても、リブ部材からなる粉粒体掻き寄せアタッチメント１４２が粉粒体ＭからなるブリッジＢの垂れ下がり部分を増殖させることなく掻き切って寸断する。
しかも、粉粒体掻き寄せアタッチメント１４２がチェーン本体１４１の両側から中央に向けて抱持状に突出形成されているため、粉粒体ＭのブリッジＢを抵抗なく垂直および水平に掻き切って寸断するので、落下供給域Ｓのケース上側に生じる粉粒体ＭのブリッジＢを自動的かつ確実に崩す。
【００４８】
そして、粉粒体Ｍの供給部１１１が、ケース幅より幅広に対向配置した左右一対の供給口形成側壁１１１ａとこれらの供給口形成側壁１１１ａにそれぞれ連結した左右一対の傾斜側壁１１１ｂとこれらの傾斜側壁１１１ｂにそれぞれ連結した左右一対の取り込み口形成側壁１１１ｃとで少なくとも形成されているため、粉粒体Ｍが供給部１１１内のケース上側からケース下側に向けて組付けられた供給口形成側壁１１１ａと傾斜側壁１１１ｂとを順次介して取り込み口形成側壁１１１ｃに至るまで粉粒体Ｍの落下自重によって誘導収集される。
【００４９】
そして、粉粒体Ｍを取り込む取り込み口形成側壁１１１ｃがコンベヤチェーン１４０の下部走行部分１４０ａの両側までそれぞれ近接配置した状態で形成されているため、粉粒体Ｍがコンベヤチェーン１４０の下部走行部分１４０ａで分散することなく集約的に収集される。
【００５０】
また、取り込み口形成側壁１１１ｃの高さ寸法Ｈ１が粉粒体掻き寄せアタッチメント１４２の高さ寸法Ｈ２より低く設定されていることにより、供給部１１１内のケース下側に「ブリッジＢ」と称する粉粒体Ｍの詰まりが生じても、粉粒体掻き寄せアタッチメント１４２が取り込み口形成側壁１１１ｃより上方に突出して粉粒体ＭのブリッジＢの底部を掻き切って寸断する。
【００５１】
このようにして得られた本発明の実施例であるケース型粉粒体フローコンベヤ１００は、粉粒体Ｍの供給部１１１をケース上側からケース下側に向けて組み込んだコンベヤケース１１０と、このコンベヤケース１１０内を垂直回りで循環走行するコンベヤチェーン１４０と、供給部１１１内に画成された落下供給域Ｓのケース上側でコンベヤチェーン１４０の上部走行部分１４０ｂを覆うチェーンカバー１５０と、コンベヤチェーン１４０の上部走行部分１４０ｂを走行案内するガイドレール１６０とを備えるとともに、コンベヤチェーン１４０がチェーン本体１４１の両側に突出する粉粒体掻き寄せアタッチメント１４２を備えていることにより、供給部１１１内の落下供給域Ｓに供給した粉粒体Ｍによりケース上側に形成されがちな「ブリッジＢ」と称する粉粒体Ｍを自動的に崩して粉粒体Ｍの詰まりがない連続した円滑な搬送を実現でき、また、チェーンカバー１５０のカバー幅Ｗ１がチェーン本体１４１の組み付け幅Ｗ２より幅広で粉粒体掻き寄せアタッチメント１４２の突出幅Ｗ３より幅狭に形成されていることにより、供給部１１１の上方から落下供給域Ｓへ供給された粉粒体Ｍがケース上側のチェーン本体１４１上へ直に落下して滞留したり堆積したりすることを回避し、チェーン本体１４０内へ微細粉の侵入を防止してチェーン機能を長期に亙って確保することができる。
【００５２】
そして、供給部１１１の一部を構成する取り込み口形成側壁１１１ｃの高さ寸法Ｈ１が供給部１１１内のケース下側で掻き寄せ搬送させる粉粒体掻き寄せアタッチメント１４２の高さ寸法Ｈ２より低く設定され、供給部１１１内のケース下側でコンベヤチェーン１４０の下側走行部分１４０ａに粉粒体Ｍを確実且つ円滑に落とし込んで取り込ませるとともに、供給部１１１内のケース下側における粉粒体Ｍの詰まりを自動的に解消して円滑に連続搬送できるなど、その効果は甚大である。
【符号の説明】
【００５３】
１００  ・・・  ケース型粉粒体フローコンベヤ
１１０  ・・・  コンベヤケース
１１１  ・・・  供給部
１１１ａ・・・  供給口形成側壁
１１１ｂ・・・  傾斜側壁
１１１ｃ・・・  取り込み口形成側壁
１１１ｄ・・・  前方壁
１１１ｅ・・・  横曲がり誘導面
１１１ｆ・・・  垂直曲がり誘導面
１１２  ・・・  排出口
１１３  ・・・  上部仕切り板
１１４  ・・・  粉粒体搬出側の搬出路形成天井壁
１１５  ・・・  ケース天板
１１６  ・・・  ケース底板
１１７  ・・・  ケース側板
１１７ａ・・・  粉粒体搬出側の搬出路形成側壁
１２０  ・・・  駆動スプロケット
１３０  ・・・  従動スプロケット
１４０  ・・・  コンベヤチェーン
１４０ａ・・・  コンベヤチェーンの下部走行部分
１４０ｂ・・・  コンベヤチェーンの上部走行部分
１４１  ・・・  チェーン本体
１４２  ・・・  粉粒体掻き寄せアタッチメント
１５０  ・・・  チェーンカバー
１６０  ・・・  ガイドレール
Ｍ    ・・・  粉粒体
Ｓ    ・・・  落下供給域
Ｂ    ・・・  ブリッジ
Ｗ１  ・・・  チェーンカバー１５０のカバー幅
Ｗ２  ・・・  チェーン本体１４１の組み付け幅
Ｗ３  ・・・  粉粒体掻き寄せアタッチメント１４２の突出幅
Ｈ１  ・・・  取り込み口形成側壁１１１ｃの高さ寸法
Ｈ２  ・・・  粉粒体掻き寄せアタッチメント１４２の高さ寸法
５００  ・・・  従来の横送りチエンコンベヤ
５０１  ・・・  張出し漏斗
５０２  ・・・  供給筒
５０３  ・・・  チェンカバー
５０４  ・・・  流下路
５０５  ・・・  供給部
５０６  ・・・  搬送チェン
【図１】
0005436132.tif 000002
【図２】
0005436132.tif 000003
【図３】
0005436132.tif 000004
【図４】
0005436132.tif 000005
【図５】
0005436132.tif 000006
【図６】
0005436132.tif 000007
【図７】
0005436132.tif 000008
【図８】
0005436132.tif 000009